(57)【特許請求の範囲】
【請求項１】
湖沼等の閉鎖性水域の水底に沈水植物の群落を形成する沈水植物の群落形成方法であって、
前記閉鎖性水域の水面または光量を確保できる水中に植生基盤を設置し、
前記植生基盤の土壌層の上に敷設した植生マットで沈水植物を事前栽培し、
事前栽培により沈水植物が繁茂した前記植生マットを前記植生基盤から取り外し、
取り外した前記植生マットを前記閉鎖性水域の水底に沈めて該水底に前記沈水植物を定着させることを特徴とする沈水植物の群落形成方法。
【請求項２】
請求項１記載の沈水植物の群落形成方法において、前記植生基盤は、支持ネットにより保持された下地マット上に不織布等の吸出し防止材を配置し、該吸出し防止材の上に前記土壌層を設けた構成であることを特徴とする沈水植物の群落形成方法。
【請求項３】
請求項１または２記載の沈水植物の群落形成方法において、植生マットが取り外された前記植生基盤の土壌層の上に新たな植生マットを敷設し、該植生マットを用いて沈水植物の事前栽培と前記閉鎖性水域の水底への定着を繰り返し行うことを特徴とする沈水植物の群落形成方法。
【請求項４】
湖沼等の閉鎖性水域の水底に沈水植物の群落を形成する沈水植物の群落形成方法であって、
前記閉鎖性水域とは別の水槽、圃場、水深の浅い池等の光量を確保できる事前栽培用水域の水底に土壌層を設け、
前記土壌層の上に敷設した植生マットで沈水植物を事前栽培し、
事前栽培により沈水植物が繁茂した前記植生マットを前記事前栽培用水域から取り出し、
取り出した前記植生マットを前記閉鎖性水域の水底に沈めて該水底に前記沈水植物を定着させることを特徴とする沈水植物の群落形成方法。
【請求項５】
請求項４記載の沈水植物の群落形成方法において、植生マットが取り出された前記事前栽培用水域の土壌層の上に新たな植生マットを敷設し、該植生マットを用いて沈水植物の事前栽培と前記閉鎖性水域の水底への定着を繰り返し行うことを特徴とする沈水植物の群落形成方法。
【請求項６】
請求項１〜５のいずれか１項に記載の沈水植物の群落形成方法において、前記植生マットは、ポリエチレンや塩化ビニル等の合成繊維またはヤシ繊維等の天然繊維で形成され、前記土壌層にピン部材で固定されていることを特徴とする沈水植物の群落形成方法。
【請求項７】
請求項１〜３のいずれか１項に記載の沈水植物の群落形成方法に用いられることを特徴とする沈水植物の植生基盤。
【発明の詳細な説明】
【技術分野】
【０００１】
本発明は、湖沼等の閉鎖性水域の水底に、フサモ、イトモ、エビモ等の沈水植物の群落を形成する沈水植物の群落形成方法及びこれに用いられる沈水植物を育成するための植生基盤の構造に関する。
【背景技術】
【０００２】
フサモ、イトモ、エビモ等の沈水植物の群落には、栄養塩吸収作用や懸濁物の付着、沈降、再懸濁防止作用、ミジンコなどの動物プランクトンや付着微生物の増加等の様々な水質浄化作用があることが知られている。また、小魚や底生動物が増加する等の生態系修復機能を持つことも知られている。
【０００３】
しかしながら、高度経済成長期の栄養塩の増大、過剰の除草剤の投入による水質汚染により、全国各地の閉鎖性水域で、沈水植物の群落が絶滅、消失、衰退している。
【０００４】
そこで、水質改善や生物多様性の保護の観点から、このような閉鎖性水域に沈水植物の群落を再生する試みが実施されている。
【０００５】
例えば特許文献１には、フロートに吊したシート部材に植生マットを収容して浮島に構成した植生基盤を用い、その植生マット上で沈水植物を栽培するとともに、その育成に合わせて植生基盤を徐々に水中に沈めていき、最終的に沈水植物が繁茂した植生基盤を水底にまで沈めて当該水底に定着させるようにした技術が記載されている。
【先行技術文献】
【特許文献】
【０００６】
【特許文献１】２００７−２５９７９０号公報
【発明の概要】
【発明が解決しようとする課題】
【０００７】
しかしながら、特許文献１の技術では、植生基盤を水底に定着させるまでの間、沈水植物の育成に必要な栄養を与えるために、植生マットの表面に栄養物を含んだ土壌を塗り込むようにしているので、植生基盤を水中に投入する際や長期間水中に設置している間に、植生マットから水中に土壌が流出するおそれがあった。植生マットから水中に土壌が流出すると、植生マットの育成機能が低下するとともに水質汚濁を生じることになる。また、植生マットの土壌が塗り込まれた表面が泥状となって、沈水植物の切れ藻や殖芽が引っかかりにくく流され易くなり、沈水植物の植生マットへの定着性が低下する。
【０００８】
さらに、植生マットの表面に土壌を塗り込む作業は、植生マットの空隙の中に土壌を充填することにより行われるので、その充填作業に手間がかかり、製造コストが高くなるという問題点もある。
【０００９】
本発明の目的は、植生基盤の土壌が水中へ流失することにより生じる植生マットの育成機能の低下や水質汚濁を低減させることにある。
【００１０】
本発明の他の目的は、沈水植物の群落を閉鎖性水域の水底に再生させるコストを低減することにある。
【課題を解決するための手段】
【００１１】
本発明の沈水植物の群落形成方法は、湖沼等の閉鎖性水域の水底に沈水植物の群落を形成する沈水植物の群落形成方法であって、前記閉鎖性水域の水面または光量を確保できる水中に植生基盤を設置し、前記植生基盤の土壌層の上に敷設した植生マットで沈水植物を事前栽培し、事前栽培により沈水植物が繁茂した前記植生マットを前記植生基盤から取り外し、取り外した前記植生マットを前記閉鎖性水域の水底に沈めて該水底に前記沈水植物を定着させることを特徴とする。
【００１２】
本発明の沈水植物の群落形成方法は、前記植生基盤は、支持ネットにより保持された下地マット上に不織布等の吸出し防止材を配置し、該吸出し防止材の上に前記土壌層を設けた構成であることを特徴とする。
【００１３】
本発明の沈水植物の群落形成方法は、植生マットが取り外された前記植生基盤の土壌層の上に新たな植生マットを敷設し、該植生マットを用いて沈水植物の事前栽培と前記閉鎖性水域の水底への定着を繰り返し行うことを特徴とする。
【００１４】
本発明の沈水植物の群落形成方法は、湖沼等の閉鎖性水域の水底に沈水植物の群落を形成する沈水植物の群落形成方法であって、前記閉鎖性水域とは別の水槽、圃場、水深の浅い池等の光量を確保できる事前栽培用水域の水底に土壌層を設け、前記土壌層の上に敷設した植生マットで沈水植物を事前栽培し、事前栽培により沈水植物が繁茂した前記植生マットを前記事前栽培用水域から取り出し、取り出した前記植生マットを前記閉鎖性水域の水底に沈めて該水底に前記沈水植物を定着させることを特徴とする。
【００１５】
本発明の沈水植物の群落形成方法は、植生マットが取り出された前記事前栽培用水域の土壌層の上に新たな植生マットを敷設し、該植生マットを用いて沈水植物の事前栽培と前記閉鎖性水域の水底への定着を繰り返し行うことを特徴とする。
【００１６】
本発明の沈水植物の群落形成方法は、前記植生マットは、ポリエチレンや塩化ビニル等の合成繊維またはヤシ繊維等の天然繊維で形成され、前記土壌層にピン部材で固定されていることを特徴とする。
【００１７】
本発明の植生基盤は、湖沼等の閉鎖性水域の水底に沈水植物の群落を形成する沈水植物の群落形成方法であって、前記閉鎖性水域の水面または光量を確保できる水中に植生基盤を設置し、前記植生基盤の土壌層の上に敷設した植生マットで沈水植物を事前栽培し、事前栽培により沈水植物が繁茂した前記植生マットを前記植生基盤から取り外し、取り外した前記植生マットを前記閉鎖性水域の水底に沈めて該水底に前記沈水植物を定着させることを特徴とする沈水植物の群落形成方法に用いられることを特徴とする。
【００１８】
本発明の植生基盤は、前記植生基盤は、補強ネットにより保持された下地マット上に不織布等の吸い出し防止材を配置し、該吸い出し防止材の上に前記土壌層を設けた構成であることを特徴とする沈水植物の群落形成方法に用いられることを特徴とする。
【００１９】
本発明の植生基盤は、植生マットが取り外された前記植生基盤の土壌層の上に新たな植生マットを敷設し、該植生マットを用いて沈水植物の事前栽培と前記閉鎖性水域の水底への定着を繰り返し行うことを特徴とする沈水植物の群落形成方法に用いられることを特徴とする。
【００２０】
本発明の植生基盤は、湖沼等の閉鎖性水域の水底に沈水植物の群落を形成する沈水植物の群落形成方法であって、前記閉鎖性水域とは別の水槽、圃場、水深の浅い池等の光量を確保できる事前栽培用水域の水底に土壌層を設け、前記土壌層の上に敷設した植生マットで沈水植物を事前栽培し、事前栽培により沈水植物が繁茂した前記植生マットを前記事前栽培用水域から取り出し、取り出した前記植生マットを前記閉鎖性水域の水底に沈めて該水底に前記沈水植物を定着させることを特徴とする沈水植物の群落形成方法に用いられることを特徴とする。
【００２１】
本発明の植生基盤は、植生マットが取り出された前記事前栽培用水域の土壌層の上に新たな植生マットを敷設し、該植生マットを用いて沈水植物の事前栽培と前記閉鎖性水域の水底への定着を繰り返し行うことを特徴とする沈水植物の群落形成方法に用いられることを特徴とする。
【００２２】
本発明の植生基盤は、前記植生マットは、ポリエチレンや塩化ビニル等の合成繊維またはヤシ繊維等の天然繊維で形成され、前記土壌層にピン部材で固定されていることを特徴とする沈水植物の群落形成方法に用いられることを特徴とする。
【発明の効果】
【００２３】
本発明によれば、植生基盤に設けられた土壌層の上に植生マットを敷設するようにしたので、植生基盤の土壌が水中へ流出することを防止することができる。これにより、土壌の水中への流失により生じる植生マットの育成機能の低下や水質汚濁を低減させることができる。また、植生基盤は土壌層が植生マットに覆われた構成であり、植生マットの表面が泥状となることがないので、沈水植物の切れ藻や殖芽を植生マットの表面に引っかかり易くして、沈水植物の植生マットへの定着性を高めることができる。さらに、植生マットを沈水植物が土壌中の栄養を吸収して繁茂して根付いた状態で水底に沈めるようにしたので、水底への移設初期における食害や育成不良を低減して、水底での沈水植物の拡大を促進することができる。
【００２４】
本発明によれば、土壌層の上に植生マットを敷設する構成としたので、植生基盤の形成を容易にすることができる。また、植生基盤から取り外した植生マットのみを水底に沈めるようにしたので、植生基盤を再利用することができる。したがって、本発明により、沈水植物の群落を閉鎖性水域の水底に再生させるコストを低減することができる。
【００２５】
本発明によれば、事前栽培用水域の水底に設けられた土壌層の上に敷設された植生マットで沈水植物を事前栽培し、これにより沈水植物が繁茂した植生マットを沈水植物群落の再生対象となる閉鎖性水域の水底に沈めるようにしたので、事前栽培や植生マットの水底への設置の作業を容易にして、沈水植物の群落を閉鎖性水域の水底に再生させるコストを低減することができる。この場合においても、植生マットを沈水植物が土壌中の栄養を吸収して繁茂して根付いた状態で水底に沈めるようにしたので、水底への移設初期における食害や育成不良を低減して、水底での沈水植物の拡大を促進することができる。
【図面の簡単な説明】
【００２６】
【図１】本発明の一実施の形態である沈水植物の群落形成方法の概略を示す説明図である。
【図２】図１に示す植生基盤を示す説明図である。
【図３】図２に示す植生基盤の詳細を示す断面図である。
【図４】図３に示す植生基盤の変形例を示す断面図である。
【図５】（ａ）、（ｂ）は、それぞれ植生基盤による沈水植物の事前栽培の様子を示す説明図である。
【図６】事前栽培により沈水植物が繁茂した植生マットを植生基盤から取り外した状態を示す説明図である。
【図７】植生マットへの錘の取り付け構造を示す斜視図である。
【図８】図７に示す錘の取り付け構造の変形例を示す斜視図である。
【図９】本発明の他の実施の形態である沈水植物の群落形成方法の概略を示す説明図である。
【図１０】（ａ）〜（ｃ）は、それぞれ図９に示す水槽による沈水植物の事前栽培の手順を示す説明図である。
【図１１】事前栽培により沈水植物が繁茂した植生マットを水槽から取り出した状態を示す説明図である。
【発明を実施するための形態】
【００２７】
以下、本発明の実施の形態を図面に基づいて詳細に説明する。
【００２８】
本発明は、水質汚濁等により沈水植物が消失等した閉鎖性水域に沈水植物の群落を再生させるために、植生マットを用いて事前栽培した沈水植物を、植生マットとともに湖沼や池等の閉鎖性水域の水底に移植し、これを水底に定着、拡大させることにより、高効率、低コストで沈水植物の群落を水底に形成するものである。
【００２９】
図１は、湖沼等の閉鎖性水域１１の水底に沈水植物１２の群落を形成する場合であって、事前栽培の方法として、当該閉鎖性水域１１の水中に植生基盤１３を設置し、この植生基盤１３を用いて、当該閉鎖性水域１１の水中で沈水植物１２を育成させる場合を示している。
【００３０】
図２に示すように、この方法で用いられる浮島１４は、例えばフロート１４ａにより形成され、植生基盤１３は浮島１４に吊り下げ部材（ロープ等）１５により吊されて光量（太陽光）が十分に確保できる所定の深さの水中に沈められている。なお、植生基盤１３は、浮島１４に吊り下げ部材１５で吊される構造に限らず、例えば、水底に打ち込まれた杭にロープで吊される構成としてもよい。また、沈水植物１２の種類によっては、植生基盤１３を浮島１４とともに水面に浮かべて設置するようにしてもよい。
【００３１】
図３に示すように、この方法に用いられる本発明の一実施の形態である植生基盤１３は、支持枠２１、補強部材２２、支持ネット（補強ネット）２３、下地マット２４、吸出し防止材２５、土壌層２６及び植生マット２７から成っている。
【００３２】
支持枠２１は、鋼材、木材、ＦＲＰ(fiber reinforced plastics)等によりアングル状に形成され、植生基盤１３を陸上で運搬する際に、当該植生基盤１３が破損しない強度を有するように構成されている。また、支持枠２１は、人による運搬作業や設置作業が行い易いように、例えば、１ｍ×２ｍ以下の大きさに設定されている。
【００３３】
支持枠２１には支持ネット２３が取り付けられ、この支持ネット２３により植生基盤１３の底部分が形成されている。支持ネット２３は、例えば高密度ポリエチレン等により形成されたものなど、植生基盤１３を陸上で運搬するのに必要な十分な引っ張り強度を有するものが用いられている。また、支持ネット２３の目の大きさは、メッシュの間から土壌が沈下しない程度、例えば２５ｍｍ以下に設定されている。
【００３４】
支持枠２１には、支持ネット２３の下方への垂れ下がりを防止するための補強部材２２が設けられている。補強部材２２は、鋼材、木材、ＦＲＰ(fiber reinforced plastics)等によりアングル状または板状に形成され、支持ネット２３の下方や植生基盤１３の内部に配置されている。
【００３５】
支持ネット２３の上には、下地マット２４が敷設されている。下地マット２４は、沈水植物１２の根茎が薄い土壌層２６の下まで十分に発達できるようにすることで横方向の植生基盤１３上で沈水植物１２を拡大し易くし、また、支持ネット２３に作用する土壌層２６の荷重を分散させて植生基盤１３の形状を平面的に安定化させ、さらに、沈水植物１２の根を下地マット２４に絡ませることにより、魚類等の影響に対して沈水植物１２を引き抜けにくくすることを目的として設置されている。この下地マット２４としては、ポリエチレンや塩化ビニル等により形成された合成繊維マットや、ヤシ繊維等により形成された天然繊維マットが用いられる。この下地マット２４の厚みは、１０ｍｍ〜３０ｍｍ程度のものが用いられ、本実施の形態の場合には、２０ｍｍのものが用いられている。
【００３６】
下地マット２４の上には、土壌の植生基盤１３の下方からの流出を防止するために、吸出し防止材２５が敷設されている。吸出し防止材２５としてはポリプロピレン製等の不織布や織布が用いられる。
【００３７】
吸出し防止材２５の上には、栄養塩を含んだ土壌により土壌層２６が設けられている。土壌としては、粘着性に富むケト土や浚渫土を脱水処理したもの、土質改良材で処理した浚渫処理土、黒ボク土等が用いられる。土壌層２６の厚みは、５ｍｍ〜２０ｍｍの範囲で、陸上運搬時の重量や水中での使用期間等を考慮して設定される。例えば、水中で長期に使用する場合には、１５ｍｍ程度に設定される。
【００３８】
土壌層２６の上には、植生マット２７が設置されている。植生マット２７としては、ポリエチレンや塩化ビニル等により形成された合成繊維マットや、ヤシ繊維等により形成された天然繊維マットが用いられる。この植生マット２７の厚みは、５ｍｍ〜２０ｍｍ程度のものが用いられ、沈水植物１２の根が土壌層２６に到達し易くするために、本実施の形態の場合には、その厚みは１０ｍｍ程度に設定されている。
【００３９】
なお、図３に示す場合では、支持枠２１としてアングル状のものが用いられているが、図４に示すように、支持枠２１として板状のものを用いるようにしてもよい。
【００４０】
このように構成された植生基盤１３の植生マット２７の上に、図５（ａ）に示すように、沈水植物１２が移植される。植生マット２７に移植する沈水植物１２としては、この沈水植物１２を定着させる閉鎖性水域１１の埋土種子を発芽させたものや、同一の流域で自生する沈水植物等から選定される。選定された沈水植物１２は、ポリエチレン等の樹脂材、鋼線材または竹等により形成されたＵ字形のピン部材２８を用いて植生マット２７の上面に固定される。
【００４１】
沈水植物１２が移植されると、植生基盤１３は、浮島１４の吊り下げ部材１５の長さが調整されて、閉鎖性水域１１の光量が十分に確保できる所定の深さの水中に沈められる。これにより、植生マット２７に移植された沈水植物１２は、十分な太陽光を受け、節等から発根して植生マット２７に定着し、または、殖芽が発芽して植生マット２７に定着して、植生マット２７上で生育し、土壌層２６にまで根を発達させ、植生基盤１３上で拡大、繁茂する。また、図５（ｂ）に示すように、拡大、繁茂に伴って浮島１４の吊り下げ部材１５の長さが調節され、植生基盤１３は水中深くに移設される。このように、植生基盤１３の植生マット２７を用いて、沈水植物１２が、数週間から数ヶ月程度かけて、閉鎖性水域１１の水中で事前栽培される。
【００４２】
事前栽培により植生マット２７上に沈水植物１２が繁茂した状態となると、沈水植物１２が繁茂した植生マット２７を植生基盤１３から取り外し、取り外された植生マット２７が閉鎖性水域１１の水底に沈められる。このとき、植生基盤１３から取り外した植生マット２７を、必要に応じて切断し、分割するようにしてもよい。分割形状は、水底に設置する際の作業性や水底に設置後の沈水植物の拡大等を考慮して、例えば、３０ｃｍ〜１ｍ幅に設定される。
【００４３】
図７に示すように、植生マット２７の両側部には、これを速やかに水底に沈めるために、錘３１が取り付けられる。図７に示す場合には、錘３１として棒状の鉄筋が用いられているが、これに限らず、図８に示すように、石等を用いるようにしてもよい。また、錘３１は、植生マット２７の両側部に限らず、植生マット２７の大きさや形状に応じて、その内部等に装着するようにしてもよい。
【００４４】
このように、沈水植物１２が繁茂した植生マット２７を閉鎖性水域１１の水底に沈め、これを定着、拡大させることにより、閉鎖性水域１１の水底に沈水植物１２の群落を形成することができる。
【００４５】
また、植生マット２７が取り外された植生基盤１３の土壌層２６の上に、新たな植生マット２７を設置し、上記と同様に、当該植生マット２７を用いて沈水植物１２の事前栽培が行われる。そして、事前栽培により沈水植物１２が繁茂した植生マット２７が水底に沈められる。このように、１つの植生基盤１３を用いて、沈水植物１２の事前栽培と水底への定着が繰り返し行われることになる。
【００４６】
上記のように、本発明の構成では、植生基盤１３に設けた土壌層２６の上に植生マット２７を敷設するようにしたので、植生基盤１３の土壌層２６は、植生マット２７により水中へ流出が防止される。これにより、土壌の水中への流失により生じる植生マット２７の育成機能の低下や水質汚濁を低減することになる。また、植生基盤１３は土壌層２６が植生マット２７に覆われた構成であり、植生マット２７の表面が泥状となることがないので、沈水植物１２の切れ藻や殖芽を植生マット２７の表面に引っかかり易くして、沈水植物１２の植生マット２７への定着性が高まることになる。さらに、植生マット２７を沈水植物１２が繁茂して根付いた状態で水底に沈めるようにしたので、水底への移設初期における食害や育成不良を低減して、水底での沈水植物１２の拡大が促進される。
【００４７】
また、上記した本発明の構成では、土壌層２６の上に植生マット２７を敷設する構成としたので、植生マット２７に土壌を充填等する作業が不要であり、植生基盤１３の形成を容易にすることができる。また、植生基盤１３から取り外した植生マット２７のみを水底に沈めるようにしたので、植生基盤１３を再利用することができる。したがって、沈水植物１２の群落を閉鎖性水域１１の水底に再生させるコストが低減されることになる。
【００４８】
図９は、本発明の他の実施の形態である沈水植物の群落形成方法の概略を示す説明図である。
【００４９】
図１に示す場合では、事前栽培の方法として、閉鎖性水域１１の水中に設置した植生基盤１３を用いて当該閉鎖性水域１１の水中で沈水植物１２を育成させるようにしている。これに対して、図９に示す方法では、沈水植物１２の群落の形成対象となる閉鎖性水域１１とは別の、光量（太陽光）を確保できる事前栽培用水域で、沈水植物１２を事前栽培するようにしている。
【００５０】
図９には、事前栽培用水域として、水槽４１を用いた場合を示している。なお、事前栽培用水域としては、水槽４１に限らず、圃場、水深の浅い池等であってもよい。
【００５１】
図１０（ａ）に示されるように、水槽４１の底には、沈水植物１２の群落を形成する対象となる閉鎖性水域１１の水底の底泥が投入されて土壌層４２が設けられている。この土壌層４２の厚みは、１ｃｍ〜５ｃｍである。
【００５２】
なお、事前栽培用水域として、圃場、水深の浅い池等を利用した場合には、その底泥を土壌層４２として用いることができる。また、底泥のほか、栄養に富んだ園芸用土等を土壌層として用いてもよい。
【００５３】
図１０（ｂ）に示されるように、土壌層４２の上には、図３の植生基盤１３に用いられたのと同様の植生マット４３が敷設される。植生マット４３は、図示しない鉄筋や石等の錘により、土壌層４２に埋没しない程度の重みで土壌層４２上に押さえ付けられている。
【００５４】
なお、この場合、植生マット４３の厚みを、運搬や泥厚等を考慮して、５ｍｍ〜４０ｍｍ程度に設定するようにしてもよい。植生マット４３の厚みを４０ｍｍ以上とすると、水槽４１に投入する土壌層４２の厚みが大きくなり作業の手間が増え、また、沈水植物１２の根が土壌層４２にまで到達しにくく、根付くのに時間がかかるため、望ましくない。
【００５５】
植生マット４３には、図５（ａ）に示すのと同様の構成で沈水植物１２が固定されている。なお、水槽４１を用いる場合には、閉鎖性水域１１の水中に植生基盤１３を設置する場合に比べて植生マット４３が安定するので、ピン部材２８を用いる方法に換えて、沈水植物１２を石等の錘を用いて植生マット４３に押さ付ける構成としてもよい。
【００５６】
このように、水槽４１の土壌層４２の上に設置された植生マット４３を用いて、沈水植物１２が、数週間から数ヶ月程度かけて、水槽４１の中で事前栽培される。
【００５７】
図１０（ｃ）に示されるように、事前栽培により植生マット４３上に沈水植物１２が繁茂した状態となると、図１１に示されるように、水槽４１から沈水植物１２が繁茂した植生マット４３が取り出され、取り出された植生マット４３は、図１に示す場合と同様に、閉鎖性水域１１の水底に沈められる。
【００５８】
また、植生マット４３が取り出された水槽４１の土壌層４２の上に、新たな植生マット４３が設置され、上記と同様に、水槽４１に設置された植生マット４３を用いて沈水植物１２の事前栽培が行われる。そして、事前栽培により沈水植物１２が繁茂した植生マット４３が水底に沈められる。このように、１つの水槽４１を用いて、沈水植物１２の事前栽培と水底への定着が繰り返し行われることになる。
【００５９】
このように、本発明によれば、水槽４１の底に設けられた土壌層４２の上に敷設された植生マット４３で沈水植物１２を事前栽培し、沈水植物１２が繁茂した植生マット４３を閉鎖性水域１１の水底に沈めるようにしたので、事前栽培や植生マット４３の水底への設置の作業を容易にして、沈水植物１２の群落を閉鎖性水域１１の水底に再生させるコストを低減することができる。この場合においても、植生マット４３を沈水植物１２が繁茂して根付いた状態で水底に沈めるようにしたので、水底への移設初期における食害や育成不良を低減して、水底での沈水植物１２の拡大を促進することができる。
【００６０】
本発明は前記実施の形態に限定されるものではなく、その要旨を逸脱しない範囲で種々変更可能であることはいうまでもない。
【符号の説明】
【００６１】
１１  閉鎖性水域
１２  沈水植物
１３  植生基盤
１４  浮島
１４ａ  フロート
１５  吊り下げ部材
２１  支持枠
２２  補強部材
２３  支持ネット
２４  下地マット
２５  吸出し防止材
２６  土壌層
２７  植生マット
２８  ピン部材
３１  錘
４１  水槽（事前栽培用水域）
４２  土壌層
４３  植生マット
【図１】
0005388926.tif 000002
【図２】
0005388926.tif 000003
【図３】
0005388926.tif 000004
【図４】
0005388926.tif 000005
【図５】
0005388926.tif 000006
【図６】
0005388926.tif 000007
【図７】
0005388926.tif 000008
【図８】
0005388926.tif 000009
【図９】
0005388926.tif 000010
【図１０】
0005388926.tif 000011
【図１１】
0005388926.tif 000012